(57)【要約】  【課題】本発明は野球用語と連係した証券情報の特性分析システム及び特性提供方法に関するものである。  【解決手段】  本発明は証券の取引と係わる情報を野球用語に対応させて連係表現することとして、野球用語の特性によって証券の取引関連特性を容易く理解するためのシステム及びその方法に関するものであり、より詳細には、証券固有の取引相場結果を野球で使われる用語の中、類似した意味の用語と連係させるシステムを通じて、証券投資者に情報をより易しく伝達するようにするためのシステム及び方法に関するものである。  【選択図】図３
2014515505.tif 000002
【特許請求の範囲】
【請求項１】
通信網を通じて選択された種目の相場情報を含んだ株式情報を受信する情報受信部と、
前記情報受信部から受信された株式情報の中で一部を抽出するか、または演算して導出された取引情報を出力する情報抽出部と、
前記情報抽出部から受信された前記取引情報が既設定の分類情報の中でどの分類に属するのかを決めて対応させる分類対応部と、
前記分類対応部から対応された結果を出力する出力部と、
を含んで構成されることを特徴とする野球用語と連係した証券情報の特性分析システム。
【請求項２】
前記分類情報、及び前記分類情報に対応される対応用語を保存する用語定義部をさらに含んで構成され、
前記分類対応部は、前記用語定義部に保存された前記分類情報と前記対応用語とをロードし、前記情報抽出部から受信された前記取引情報を前記分類情報によって分類して前記対応用語に対応させることを特徴とする請求項１に記載の野球用語と連係した証券情報の特性分析システム。
【請求項３】
前記対応用語は野球用語であり、
前記分類対応部は前記取引情報を前記分類情報によって分類して前記野球用語に対応させることを特徴とする請求項２に記載の野球用語と連係した証券情報の特性分析システム。
【請求項４】
前記取引情報は株価の変動率であり、前記分類情報は上昇率範囲であり、前記野球用語は安打であり、
前記分類対応部は前記株価の変動率が前記分類情報によって上昇率範囲より上昇した場合には、これを前記野球用語である安打に対応させることを特徴とする請求項３に記載の野球用語と連係した証券情報の特性分析システム。
【請求項５】
前記取引情報は株価の変動率であり、前記分類情報は価格制限幅の上昇率範囲であり、前記野球用語はホームランであり、
前記分類対応部は前記株価の変動率が前記分類情報によって価格制限幅まで上昇した場合には、これを前記野球用語であるホームランに対応させることを特徴とする請求項３に記載の野球用語と連係した証券情報の特性分析システム。
【請求項６】
前記取引情報は株価の変動率であり、前記分類情報は上昇率範囲の中で一部であり、前記野球用語はｎ塁打（ただし、ｎは１ないし３の内の一つ）であり、  
前記分類対応部は前記株価の変動率が前記分類情報によって上昇率範囲の中で一部の特定範囲より上昇した場合には、これを前記野球用語であるｎ塁打に対応させることを特徴とする請求項３に記載の野球用語と連係した証券情報の特性分析システム。
【請求項７】
前記取引情報は取引日別株価の変動率であり、前記分類情報は一定の取引日の間株価が上昇した日を取引日数で分けることであり、前記野球用語は打率であり、
前記分類対応部は前記取引日別株価の変動率を前記分類情報によって一定の取引日の間株価が上昇した日数を取引日数で分けてこれを前記野球用語である打率に対応させることを特徴とする請求項３に記載の野球用語と連係した証券情報の特性分析システム。
【請求項８】
前記取引情報は取引日別株価の変動率であり、前記分類情報は一定の取引日に株価が上昇した上昇率またはその合計であり、前記野球用語は得点であり、
前記分類対応部は前記取引日別株価の変動率を前記分類情報によって一定の取引日に株価が上昇した上昇率またはその合計を前記野球用語である得点に対応させることを特徴とする請求項３に記載の野球用語と連係した証券情報の特性分析システム。
【請求項９】
前記取引情報は取引日別株価の変動率であり、前記分類情報は一定の取引日に株価が上昇した上昇率を合わせて、これを上昇取引日数で分けることであり、前記野球用語は平均得点であり、
前記分類対応部は前記取引日別株価の変動率を前記分類情報によって一定の取引日の間株価が上昇した上昇率を合わせて、これを上昇取引日数で分けた後、前記野球用語である平均得点に対応させることを特徴とする請求項３に記載の野球用語と連係した証券情報の特性分析システム。
【請求項１０】
前記取引情報は株価の変動率であり、前記分類情報は上昇及び下落率範囲であり、前記野球用語はバントであり、
前記分類対応部は、前記株価の変動率が前記分類情報によって始値は横這い未満だったが、終値は横這い超過上昇した場合には、これを前記野球用語であるバントに対応させることを特徴とする請求項３に記載の野球用語と連係した証券情報の特性分析システム。
【請求項１１】
前記取引情報は株価の変動率であり、前記分類情報は上昇及び下落率範囲であり、前記野球用語はバント失敗であり、
前記分類対応部は、前記株価の変動率が前記分類情報によって始値は横這い超過だったが、終値は横這い未満に下落した場合には、これを前記野球用語であるバント失敗に対応させることを特徴とする請求項３に記載の野球用語と連係した証券情報の特性分析システム。
【請求項１２】
前記取引情報は株価の変動率であり、前記分類情報は上昇率範囲の中で一部の２個範囲であり、前記野球用語は盗塁であり、
前記分類対応部は、前記株価の変動率が前記分類情報によって始値上昇率は第１範囲内であり、終値上昇率は第２範囲より上昇した場合には、これを前記野球用語である盗塁に対応させることを特徴とする請求項３に記載の野球用語と連係した証券情報の特性分析システム。
【請求項１３】
前記取引情報は株価の変動率であり、前記分類情報は上昇率範囲の中で一部の範囲であり、前記野球用語はホームスチールであり、
前記分類対応部は、前記株価の変動率が前記分類情報によって始値上昇率は第１範囲であり、終値上昇率は価格制限幅まで上昇した場合には、これを前記野球用語であるホームスチールに対応させることを特徴とする請求項３に記載の野球用語と連係した証券情報の特性分析システム。
【請求項１４】
前記取引情報は株価の変動率であり、前記分類情報が上昇率範囲の中で一部である場合、前記野球用語はｎ塁打（ただし、ｎは１ないし３の内一つ）であり、前記分類情報が価格制限幅の上昇率範囲の場合、前記野球用語はホームランであり、
前記分類対応部は、前記株価の変動率が前記分類情報によって上昇率範囲の中で一部の特定範囲より上昇した場合には、これを前記野球用語であるｎ塁打に対応させ、前記株価の変動率が前記分類情報によって価格制限幅まで上昇した場合には、これを前記野球用語であるホームランに対応させ、前記ｎ塁打及び前記ホームランに当たる各加重値の倍を合わせた後、これを取引日数で分けて野球用語である長打率に対応させることを特徴とする請求項３に記載の野球用語と連係した証券情報の特性分析システム。
【請求項１５】
前記分類対応部は、前記安打日数を取引日数で分けて野球用語である出塁率に対応させることを特徴とする請求項４に記載の野球用語と連係した証券情報の特性分析システム。
【請求項１６】
前記分類対応部は、一定の取引日の間一番近日から反対に累積する連続安打日数を野球用語である連打席安打に対応させることを特徴とする請求項４に記載の野球用語と連係した証券情報の特性分析システム。
【請求項１７】
前記分類対応部は、一定の取引日の間一番近日から反対に累積する連続ホームラン日数を野球用語である連打席ホームランに対応させることを特徴とする請求項５に記載の野球用語と連係した証券情報の特性分析システム。
【請求項１８】
前記分類対応部は、前記株価が上昇率範囲の中で一部の特定範囲に属している途中、終値は前記ホームランに対応される取引日数を、前記株価が前記特定範囲に属する取引日数で分けてこれを野球用語である得点圏打率に対応させることを特徴とする請求項５に記載の野球用語と連係した証券情報の特性分析システム。
【請求項１９】
前記取引情報は株価の変動率であり、前記分類情報は下落率範囲であり、前記野球用語はアウトであり、
前記分類対応部は前記株価の変動率が前記分類情報によって下落率範囲で下落した場合には、これを前記野球用語であるアウトに対応させることを特徴とする請求項３に記載の野球用語と連係した証券情報の特性分析システム。
【請求項２０】
前記取引情報は株価の変動率であり、前記分類情報は下落率範囲の中で一部であり、前記野球用語は三振または併殺または三重殺であり、
前記分類対応部は前記株価の変動率が前記分類情報によって下落率範囲の中で一部の特定範囲で下落した場合には、これを前記野球用語である三振または併殺または三重殺に対応させることを特徴とする請求項３に記載の野球用語と連係した証券情報の特性分析システム。
【請求項２１】
前記取引情報は株価の変動率であり、前記分類情報は上昇及び下落率範囲であり、前記野球用語は勝利または敗北であり、
前記分類対応部は前記株価の変動率が前記分類情報によって上昇した場合、これを前記野球用語である勝利に対応させ、前記株価の変動率が前記分類情報によって下落した場合、これを前記野球用語である敗北に対応させることを特徴とする請求項３に記載の野球用語と連係した証券情報の特性分析システム。
【請求項２２】
前記取引情報は株価の変動率であり、前記分類情報は上昇及び下落率範囲であり、前記野球用語は完封勝ちまたは完封敗であり、
前記分類対応部は、前記株価の始値、低値、高価、終値が皆価格制限幅まで上昇した場合、前記野球用語である完封勝ちに対応させ、前記株価の始値、低値、高価、終値が皆価格制限幅まで下落した場合、前記野球用語である完封敗に対応させることを特徴とする請求項３に記載の野球用語と連係した証券情報の特性分析システム。
【請求項２３】
前記取引情報は取引日別株価の変動率であり、前記分類情報は一定の取引日に株価が下落した下落率またはその合計であり、前記野球用語は失点であり、
前記分類対応部は前記取引日別株価の変動率を前記分類情報によって一定の取引日に株価が下落した下落率またはその合計を前記野球用語である失点に対応させることを特徴とする請求項３に記載の野球用語と連係した証券情報の特性分析システム。
【請求項２４】
前記取引情報は取引日別株価の変動率であり、前記分類情報は一定の取引日に株価が下落した下落率または前記下落率の合計を下落取引日数で分けることであり、前記野球用語は防御率であり、
前記分類対応部は前記取引日別株価の変動率を前記分類情報によって一定の取引日の間株価が下落した下落率または前記下落率を合わせて、これを下落取引日数で分けた後、前記野球用語である防御率に対応させることを特徴とする請求項２３に記載の野球用語と連係した証券情報の特性分析システム。
【請求項２５】
前記取引情報は株価の変動率であり、前記分類情報は価格制限幅下落率範囲であり、前記野球用語は被本塁打であり、
前記分類対応部は前記株価の変動率が前記分類情報によって価格制限幅まで下落した場合には、これを前記野球用語である被本塁打に対応させることを特徴とする請求項３に記載の野球用語と連係した証券情報の特性分析システム。
【請求項２６】
前記取引情報は株価の変動率であり、前記分類情報は上昇及び下落率範囲であり、前記野球用語は引き分けであり、
前記分類対応部は前記株価の変動率が前記分類情報によって横這いの場合、これを前記野球用語である引き分けに対応させることを特徴とする請求項３に記載の野球用語と連係した証券情報の特性分析システム。
【請求項２７】
前記分類対応部は勝利した日を、勝利した日と敗れた日の合で分けた値打ちを野球用語である勝率に対応させることを特徴とする請求項２１に記載の野球用語と連係した証券情報の特性分析システム。
【請求項２８】
前記取引情報は株価の変動率であり、前記分類情報は上昇及び下落率範囲であり、前記野球用語はセーブであり、
前記分類対応部は前記株価の始値が上昇範囲であり、終値が前記始値と同一であるか、または前記始値より上昇した場合、これを前記野球用語であるセーブに対応させることを特徴とする請求項３に記載の野球用語と連係した証券情報の特性分析システム。
【請求項２９】
前記分類対応部は一定の取引日の間一番近日から反対に累積する連続セーブ日数を野球用語である連続セーブに対応させることを特徴とする請求項２８に記載の野球用語と連係した証券情報の特性分析システム。
【請求項３０】
前記取引情報は株価の変動率であり、前記分類情報は上昇及び下落率範囲であり、前記野球用語はブロウンセーブであり、
前記分類対応部は前記株価の始値が上昇範囲であり、終値が前記始値より下落した場合これを前記野球用語であるブロウンセーブに対応させることを特徴とする請求項３に記載の野球用語と連係した証券情報の特性分析システム。
【請求項３１】
前記取引情報は株価の変動率であり、前記分類情報は上昇及び下落率範囲であり、前記野球用語は遠征勝利であり、
前記分類対応部は総合指数が下落した取引日に、前記株価が上昇した場合、これを前記野球用語である遠征勝利に対応させることを特徴とする請求項３に記載の野球用語と連係した証券情報の特性分析システム。
【請求項３２】
前記分類対応部は一定の期間内の遠征勝利日数を前記総合指数が下落した日数で分けた値打ちを野球用語遠征勝率に対応させることを特徴とする請求項３１に記載の野球用語と連係した証券情報の特性分析システム。
【請求項３３】
（１）通信網を通じて使用者端末機の情報受信部が選択された種目の相場情報を含んだ株式情報を受ける情報受信段階と、
（２）情報抽出部が前記情報受信部から受信された株式情報の中で一部を抽出されるか、または演算して導出された取引情報を出力する情報抽出段階と、
（３）分類対応部が前記情報抽出部から受信された前記取引情報が既設定の分類情報の中でどの分類に属するのかを決めて対応させる分類対応段階と、
（４）出力部が前記分類対応部から対応された結果を出力する出力段階と、
を含んで構成されることを特徴とする野球用語と連係した証券情報の特性分析方法。
【請求項３４】
用語定義部が前記分類情報、及び前記分類情報に対応される対応用語を保存し、前記分類対応部は前記用語定義部に保存された前記分類情報と前記対応用語をロードし、前記情報抽出部から受信された前記取引情報を前記分類情報によって分類して前記対応用語に対応させる過程をさらに含むことを特徴とする請求項３３に記載の野球用語と連係した証券情報の特性分析方法。
【請求項３５】
前記対応用語は野球用語であり、前記分類対応部は前記取引情報を前記分類情報によって分類して野球用語に対応させることを特徴とする請求項３４に記載の野球用語と連係した証券情報の特性分析方法。
【発明の詳細な説明】
【技術分野】
【０００１】
本発明は証券の取引と係わる情報を野球用語に対応させて連係表現することとして、野球用語の特性によって証券の取引関連特性を容易く理解するためのシステム及びその方法に関するものであり、より詳細には、証券固有の取引相場結果を野球で使われる用語の内、類似した意味の用語と連係させるシステムを通じて、証券投資者に情報をより易しく伝達するようにするためのシステム及び方法に関するものである。
【背景技術】
【０００２】
一般的に、株式、先物やオプション取引は勿論、債券、通貨などの取引においてオンラインを利用したサイバートレーディングが通信技術と電算プログラムの発達で大きく増加している。サイバートレーディングの増加する原因は、ＰＣの使用による接近の容易性、多様な株価情報の提供、相場のリアルタイム把握、及び速い売買注文などの長所が多いからである。
【０００３】
このような株式売買の投資意思決定をしなければならない個人投資者たちは別途の投資教育を必要とする位で専門性を取り揃えることができない状態であり、証券会社のアナリストも信頼することができないだけでなく、投資に参考する情報も各種媒体で伝える一番遅い情報のみを利用して売買意思を決定していて、その結果、大部分が投資損失に帰結されるところ、より効果的な株式売買分析を要する実情である。
【０００４】
一方、株式売買のための分析方法は、基本的分析と技術的分析があり、これらは相互補完関係を成しているが、主に技術的分析が使われている。ここで、基本的分析と言うのは、巨視的には経済の内在価値、微視的には特定会社の内在価値を分析することとして、こんな側面で、大型投資機関や専門アナリストに比べて個人投資者たちは深刻な情報の非対称状況にあり、たとえ等しい情報が与えられると言っても個人投資者たちがその情報を正しく解釈することができる専門的な能力を取り揃えるのは難しい。結局、個人投資者たちはたとえ不利でも金融機関または言論媒体を通じて公開された情報を通じて基本的に分析し、自らの投資基準を定立するのが一般的な現象である。
【０００５】
前記技術的分析は、株価変動にすべての情報が反映されているという仮定の下にチャートなどの分析に基づいて小規模投資者の株価分析方法と認識されている。技術的分析は、株価と取引量の過去及び現在の流れを分析して未来の株価を予測する方法であり、伝統的な証券分析方法で過去株式の価格や取引量のような資料を利用して株価変化の成り行きを見つけ出して未来の株価を予測する方法である。このような技術的分析の場合、その分析がとても難しく複雑で株式素人が近付きづらく、上場企業は２千を超えるため、これら種目の特性を全般的に分析することは多くの時間を要する。
【０００６】
また、技術的分析は、キャンドルチャート、バーチャート、比較チャート、フローチャート、一目均衡表などのような数十種のチャートと、３００個の補助指標などを正確に理解して活用しなければならず、これらを組み合わせる場合、数十万個のチャートが作られるので、投資者の立場では多くの研究と実戦経験を要する問題点がある。
【０００７】
専門的に投資をする専業投資者の場合にも、補助指標の変数を変更しながらいちいち２千個が超えるすべての種目を短期間に分析するということは不可能であり、もし一日に１００個のグラフを分析したら、韓国総合株価指数（ＫＯＳＰＩ）とコスタック全体を見るのに２０日以上が必要となり、月刊変動（月足）、週刊変動（週足）、一日変動（日足）、６０分足、３０分足、１５分足、１０分足、５分足などのグラフの分析は何年という時間を要するようになる。ここに幾多の補助指標を追加して分析しなければならず、毎時間、毎分ごとに新しいチャートを見なければならない。
【０００８】
このような分析接近が難しいことは、専門投資者も日常大部分の時間を株式分析に投資するようにし、株式素人の場合、自分だけの投資技法を樹立するところだけも数年の期間と大きい投資金の損失を被る。また、このような投資技法を定立しない投資者は数ヶ月内乃至数年内に株式投資にを失敗するようになる。これは投資者たちにとって株式分析に対する拒否感を持つようになり、株式を単純に賭博と認識して近付くようにする。したがって、一般投資者たちも株式の特性に対して易しく理解し、統計的に近付くようにするための手段が必要な時点である。
【発明の概要】
【発明が解決しようとする課題】
【０００９】
本発明は前記のような従来の問題に鑑みなされたもので、株式の相場情報のような株式情報を、類似の概念の野球用語に対応させて表現するシステムと方法を通じて、株式投資者にとって慣れた野球用語を通じて株式種目固有の特性を理解するようにすることを目的とする。
【００１０】
また、本発明は株式投資のための情報を野球用語に対応して投資者が易しく理解するように表現するシステム及び方法を提供することを目的とする。
【００１１】
また、本発明は野球用語によって連想する特性を通じて株式投資種目の特性を把握し、投資決定ができるように手伝ってくれるシステム及び方法を提供することを目的とする。
【００１２】
また、本発明は株式投資分析方法である基本的、技術的分析の限界点を乗り越えて、それぞれの個別種目の特性を短期間に分析することができるようにし、株式素人には株式をより易しく理解するようにし、株式専門家には勘や経験だけで分かっている抽象的な観念を、各株式種目の特性統計基に基づいて解くようにして、精密で科学的な分析方法を提供して第３の株式投資の意思決定指標を提供することを目的とする。
【課題を解決するための手段】
【００１３】
前記目的を果たすための本発明の構成は、通信網を通じて選択された種目の相場情報を含んだ株式情報を受信する情報受信部と；前記情報受信部から受信された株式情報の中で一部を抽出するか、または演算して導出された取引情報を出力する情報抽出部と；前記情報抽出部から受信された前記取引情報が既設定の分類情報の中でどの分類に属するのかを決めて対応させる分類対応部と；前記分類対応部から対応された結果を出力する出力部と；を含んで構成されることを特徴とする野球用語と連係した証券情報の特性分析システムを提供する。
【００１４】
前記分類情報、及び前記分類情報に対応される対応用語を保存する用語定義部をさらに含んで構成され、前記分類対応部は、前記用語定義部に保存された前記分類情報と前記対応用語とをロードし、前記情報抽出部から受信された前記取引情報を前記分類情報によって分類して前記対応用語に対応させることを特徴とする。
【００１５】
前記対応用語は野球用語であり、前記分類対応部は前記取引情報を前記分類情報によって分類して前記野球用語に対応させることを特徴とする。
【００１６】
前記取引情報は株価の変動率であり、前記分類情報は上昇率範囲であり、前記野球用語は安打であり、前記分類対応部は前記株価の変動率が前記分類情報によって上昇率範囲より上昇した場合には、これを前記野球用語である安打に対応させることを特徴とする。
【００１７】
前記取引情報は株価の変動率であり、前記分類情報は価格制限幅の上昇率範囲であり、前記野球用語はホームランであり、前記分類対応部は前記株価の変動率が前記分類情報によって価格制限幅まで上昇した場合には、これを前記野球用語であるホームランに対応させることを特徴とする。
【００１８】
前記取引情報は株価の変動率であり、前記分類情報は上昇率範囲の中で一部であり、前記野球用語はｎ塁打（ただし、ｎは１ないし３の内一つ）であり、前記分類対応部は前記株価の変動率が前記分類情報によって上昇率範囲の中で一部の特定範囲より上昇した場合には、これを前記野球用語であるｎ塁打に対応させることを特徴とする。
【００１９】
前記取引情報は取引日別株価の変動率であり、前記分類情報は一定の取引日の間株価が上昇した日を取引日数で分けることであり、前記野球用語は打率であり、前記分類対応部は前記取引日別株価の変動率を前記分類情報によって一定の取引日の間株価が上昇した日数を取引日数で分けてこれを前記野球用語である打率に対応させることを特徴とする。
【００２０】
前記取引情報は取引日別株価の変動率であり、前記分類情報は一定の取引日に株価が上昇した上昇率またはその合計であり、前記野球用語は得点であり、前記分類対応部は前記取引日別株価の変動率を前記分類情報によって一定の取引日に株価が上昇した上昇率またはその合計を前記野球用語である得点に対応させることを特徴とする。
【００２１】
前記取引情報は取引日別株価の変動率であり、前記分類情報は一定の取引日に株価が上昇した上昇率を合わせて、これを上昇取引日数で分けることであり、前記野球用語は平均得点であり、前記分類対応部は前記取引日別株価の変動率を前記分類情報によって一定の取引日の間株価が上昇した上昇率を合わせて、これを上昇取引日数で分けた後、前記野球用語である平均得点に対応させることを特徴とする。
【００２２】
前記取引情報は株価の変動率であり、前記分類情報は上昇及び下落率範囲であり、前記野球用語はバントであり、前記分類対応部は、前記株価の変動率が前記分類情報によって始値は横這い未満だったが、終値は横這い超過上昇した場合には、これを前記野球用語であるバントに対応させることを特徴とする。
【００２３】
前記取引情報は株価の変動率であり、前記分類情報は上昇及び下落率範囲であり、前記野球用語はバント失敗であり、前記分類対応部は、前記株価の変動率が前記分類情報によって始値は横這い超過だったが、終値は横這い未満に下落した場合には、これを前記野球用語であるバント失敗に対応させることを特徴とする。
【００２４】
前記取引情報は株価の変動率であり、前記分類情報は上昇率範囲の中で一部の２個範囲であり、前記野球用語は盗塁であり、前記分類対応部は、前記株価の変動率が前記分類情報によって始値上昇率は第１範囲内であり、終値上昇率は第２範囲より上昇した場合には、これを前記野球用語である盗塁に対応させることを特徴とする。
【００２５】
前記取引情報は株価の変動率であり、前記分類情報は上昇率範囲の中で一部の範囲であり、前記野球用語はホームスチールであり、前記分類対応部は、前記株価の変動率が前記分類情報によって始値上昇率は第１範囲であり、終値上昇率は価格制限幅まで上昇した場合には、これを前記野球用語であるホームスチールに対応させることを特徴とする。
【００２６】
前記取引情報は株価の変動率であり、前記分類情報が上昇率範囲の中で一部である場合、前記野球用語はｎ塁打（ただし、ｎは１ないし３の内一つ）であり、前記分類情報が価格制限幅の上昇率範囲の場合、前記野球用語はホームランであり、前記分類対応部は、前記株価の変動率が前記分類情報によって上昇率範囲の中で一部の特定範囲より上昇した場合には、これを前記野球用語であるｎ塁打に対応させ、前記株価の変動率が前記分類情報によって価格制限幅まで上昇した場合には、これを前記野球用語であるホームランに対応させ、前記ｎ塁打及び前記ホームランに当たる各加重値の倍を合わせた後、これを取引日数で分けて野球用語である長打率に対応させることを特徴とする。
【００２７】
前記分類対応部は、前記安打日数を取引日数で分けて野球用語である出塁率に対応させることを特徴とする。
【００２８】
前記分類対応部は、一定の取引日の間一番近日から反対に累積する連続安打日数を野球用語である連打席安打に対応させることを特徴とする。
【００２９】
前記分類対応部は、一定の取引日の間一番近日から反対に累積する連続ホームラン日数を野球用語である連打席ホームランに対応させることを特徴とする。
【００３０】
前記分類対応部は、前記株価が上昇率範囲の中で一部の特定範囲に属している途中、終値は前記ホームランに対応される取引日数を、前記株価が前記特定範囲に属する取引日数で分けてこれを野球用語である得点圏打率に対応させることを特徴とする。
【００３１】
前記取引情報は株価の変動率であり、前記分類情報は下落率範囲であり、前記野球用語はアウトであり、前記分類対応部は前記株価の変動率が前記分類情報によって下落率範囲で下落した場合には、これを前記野球用語であるアウトに対応させることを特徴とする。
【００３２】
前記取引情報は株価の変動率であり、前記分類情報は下落率範囲の中で一部であり、前記野球用語は三振または併殺または三重殺であり、前記分類対応部は前記株価の変動率が前記分類情報によって下落率範囲の中で一部の特定範囲で下落した場合には、これを前記野球用語である三振または併殺または三重殺に対応させることを特徴とする。
【００３３】
前記取引情報は株価の変動率であり、前記分類情報は上昇及び下落率範囲であり、前記野球用語は勝利または敗北であり、前記分類対応部は前記株価の変動率が前記分類情報によって上昇した場合、これを前記野球用語である勝利に対応させ、前記株価の変動率が前記分類情報によって下落した場合、これを前記野球用語である敗北に対応させることを特徴とする。
【００３４】
前記取引情報は株価の変動率であり、前記分類情報は上昇及び下落率範囲であり、前記野球用語は完封勝ちまたは完封敗であり、前記分類対応部は、前記株価の始値、低値、高価、終値が皆価格制限幅まで上昇した場合、前記野球用語である完封勝ちに対応させ、前記株価の始値、低値、高価、終値が皆価格制限幅まで下落した場合、前記野球用語である完封敗に対応させることを特徴とする。
【００３５】
前記取引情報は取引日別株価の変動率であり、前記分類情報は一定の取引日に株価が下落した下落率またはその合計であり、前記野球用語は失点であり、前記分類対応部は前記取引日別株価の変動率を前記分類情報によって一定の取引日に株価が下落した下落率またはその合計を前記野球用語である失点に対応させることを特徴とする。
【００３６】
前記取引情報は取引日別株価の変動率であり、前記分類情報は一定の取引日に株価が下落した下落率または前記下落率の合計を下落取引日数で分けることであり、前記野球用語は防御率であり、前記分類対応部は前記取引日別株価の変動率を前記分類情報によって一定の取引日の間株価が下落した下落率または前記下落率を合わせて、これを下落取引日数で分けた後、前記野球用語である防御率に対応させることを特徴とする。
【００３７】
前記取引情報は株価の変動率であり、前記分類情報は価格制限幅下落率範囲であり、前記野球用語は被本塁打であり、前記分類対応部は前記株価の変動率が前記分類情報によって価格制限幅まで下落した場合には、これを前記野球用語である被本塁打に対応させることを特徴とする。
【００３８】
前記取引情報は株価の変動率であり、前記分類情報は上昇及び下落率範囲であり、前記野球用語は引き分けであり、前記分類対応部は前記株価の変動率が前記分類情報によって横這いの場合、これを前記野球用語である引き分けに対応させることを特徴とする。
【００３９】
前記分類対応部は勝利した日を、勝利した日と敗れた日の合で分けた値打ちを野球用語である勝率に対応させることを特徴とする。
【００４０】
前記取引情報は株価の変動率であり、前記分類情報は上昇及び下落率範囲であり、前記野球用語はセーブであり、前記分類対応部は前記株価の始値が上昇範囲であり、終値が前記始値と同一であるか、または前記始値より上昇した場合、これを前記野球用語であるセーブに対応させることを特徴とする。
【００４１】
前記分類対応部は一定の取引日の間一番近日から反対に累積する連続セーブ日数を野球用語である連続セーブに対応させることを特徴とする。
【００４２】
前記取引情報は株価の変動率であり、前記分類情報は上昇及び下落率範囲であり、前記野球用語はブロウンセーブであり、前記分類対応部は前記株価の始値が上昇範囲であり、終値が前記始値より下落した場合これを前記野球用語であるブロウンセーブに対応させることを特徴とする。
【００４３】
前記取引情報は株価の変動率であり、前記分類情報は上昇及び下落率範囲であり、前記野球用語は遠征勝利であり、前記分類対応部は総合指数が下落した取引日に、前記株価が上昇した場合、これを前記野球用語である遠征勝利に対応させることを特徴とする。
【００４４】
前記分類対応部は一定の期間内の遠征勝利日数を前記総合指数が下落した日数で分けた値打ちを野球用語遠征勝率に対応させることを特徴とする。
【００４５】
また、（１）通信網を通じて使用者端末機の情報受信部が選択された種目の相場情報を含んだ株式情報を受ける情報受信段階と；（２）情報抽出部が前記情報受信部から受信された株式情報の中で一部を抽出されるか、または演算して導出された取引情報を出力する情報抽出段階と；（３）分類対応部が前記情報抽出部から受信された前記取引情報が既設定の分類情報の中でどの分類に属するのかを決めて対応させる分類対応段階と；（４）出力部が前記分類対応部から対応された結果を出力する出力段階と；を含んで構成されることを特徴とする野球用語と連係した証券情報の特性分析方法を提供する。
【００４６】
用語定義部が前記分類情報、及び前記分類情報に対応される対応用語を保存し、前記分類対応部は前記用語定義部に保存された前記分類情報と前記対応用語をロードし、前記情報抽出部から受信された前記取引情報を前記分類情報によって分類して前記対応用語に対応させる過程をさらに含むことを特徴とする。
【００４７】
前記対応用語は野球用語であり、前記分類対応部は前記取引情報を前記分類情報によって分類して野球用語に対応させることを特徴とする。
【発明の効果】
【００４８】
本発明は株式投資者にとって慣れた野球用語を通じて株式種目固有の特性を易しく理解するようにする効果を持つ。
【００４９】
また、本発明は野球用語によって連想する特性を通じて株式投資種目の新しい特性を把握し、投資決定ができるようにする効果を持つ。
【００５０】
また、本発明は株式投資情報をよく分からない初心投資者も易しく株式種目固有の特性などを理解して分析することができるようにする効果を持つ。
【００５１】
また、本発明は易しく理解可能な野球用語を活用するので、短期間に種目特性を分析して理解することができるようにしてくれる効果を持つ。
【００５２】
また、本発明は客観的な指標を土台で易しく種目特性を分析することができるので、株式素人も伝統的な分析方法外にも自分だけの分析能力を持って種目選定ができるようにする効果を持つ。
【００５３】
また、本発明は種目間の固有の特性を比較可能とする仕分け指標を提供し、その比較が容易いようにする効果を持つ。
【００５４】
また、本発明は各自の売買スタイルに合う種目を選定するように手伝ってくれる効果を持つ。
【図面の簡単な説明】
【００５５】
【図１】一般的なＨＴＳシステムの連結関係を表した図面である。
【図２】本発明によるシステムの構成をブロックで現わす図面である。
【図３】本発明による特性分析及び提供方法を現わす流れ図である。
【図４】本発明の用語定義部に保存された分類情報、対応野球用語及びその計算数式たちの実施例を現わす表である。
【図５】本発明の用語定義部に保存された分類情報、対応野球用語及びその計算数式たちの実施例を現わす表である。
【図６】本発明の用語定義部に保存された分類情報、対応野球用語及びその計算数式たちの実施例を現わす表である。
【図７】本発明の用語定義部に保存された分類情報、対応野球用語及びその計算数式たちの実施例を現わす表である。
【図８】本発明の用語定義部に保存された分類情報、対応野球用語及びその計算数式たちの実施例を現わす表である。
【図９】本発明の用語定義部に保存された分類情報、対応野球用語及びその計算数式たちの実施例を現わす表である。
【図１０】本発明の用語定義部に保存された分類情報、対応野球用語及びその計算数式たちの実施例を現わす表である。
【図１１】本発明の用語定義部に保存された分類情報、対応野球用語及びその計算数式たちの実施例を現わす表である。
【図１２】本発明の用語定義部に保存された分類情報、対応野球用語及びその計算数式たちの実施例を現わす表である。
【図１３】本発明の用語定義部に保存された分類情報、対応野球用語及びその計算数式たちの実施例を現わす表である。
【図１４】本発明の用語定義部に保存された分類情報、対応野球用語及びその計算数式たちの実施例を現わす表である。
【図１５】本発明の用語定義部に保存された分類情報、対応野球用語及びその計算数式たちの実施例を現わす表である。
【図１６】本発明によって分析された種目の結果物を野球グラウンド及び対応野球用語で表した図面である。
【図１７】本発明によって分析された種目の結果物を野球グラウンド及び対応野球用語で表した図面である。
【図１８】本発明によって分析された各項目別第１位及び３００位種目を現わす表である。
【発明を実施するための形態】
【００５６】
以下、添付された図面を参照して本発明の構成を詳しく説明する事にする。
【００５７】
一般的に、株式、先物やオプション取引は勿論、債券、通貨などの取引においてオンラインを利用したサイバートレーディングが通信技術と電算プログラムの発達で大きく増加している。サイバートレーディングの増加する原因はＰＣの使用による接近の容易性、多様な株価情報の提供、相場のリアルタイム把握、速い売買注文などの長所が多いからである。このような売買のためにＨＴＳ（Ｈｏｍｅ  Ｔｒａｄｉｎｇ  Ｓｙｓｔｅｍ）などのような証券会社の提供システムの飛躍的な発展によって個人投資者のオンライン取引比重は持続的に増加している。図１は一般的なＨＴＳの連結関係を表した図面である。図１を参照すれば、韓国証券電算院１から提供される各種株式関連情報は通信網２を通じて、証券会社サーバー３へ伝達し、また通信網２を通じて、各家庭、証券会社地点、事務室などに具備された使用者端末機４へ伝達して、ＨＴＳプログラムの駆動によって使用者に提供され、各種取引情報を受けるなどの取引行為ができるようにする。
【００５８】
このような便利なシステムにもかかわらず、相変らずこのシステムから提供される各種情報は、事前に多く学習しない場合には、投資者には易しく理解されにくい内容が大部分である。
【００５９】
このために本発明は株式野球の概念を対応させるシステムと方法を提供し、これは各種目の特性を数値化し、これを野球用語を通じて易しく理解させる効果を持つ。
【００６０】
すなわち、それぞれの種目固有の特性を実際勉強しようとすれば、多くの時間がかかり、またこれをデータ化しないから、種目の特性を具体的に分からなくて表面的に思っているし、また、一定の時間が経てば記憶の中で消える場合があるが、本発明のシステムによれば、すべての情報が野球用語を通じて説明されるので、それぞれの種目特性研究が必要ないし、その研究時間を大幅に縮めさせることができる。
【００６１】
一方、我が国で一番人気あるスポーツ種目は野球であるということは、理論の余地がないし、大多数の人々は野球の規則と用語をある程度は分かっている。株式情報をこのような野球に比喩して説明する場合、株式初心者や各種理論に難しさを感じる人々に易しくて親しく近付くことができるようになる。これを通じて投資者は株式投資の理解度を増加させることができるし、統計に対する新しい観点を持つようになる。
【００６２】
このために本発明では、株式個別種目を個個の野球選手と判断し、各個別種目が株式市場であるという野球場へ来て成績を出すものを基本概念として定義する。これを通じて株式投資を野球のように、数値化された科学的統計手段を通じて分析することができて、科学的な株式分析を通じる株価予測が可能である。このような予測を通じて、各株式に対して下のような特性を理解して予測することができるようになる。
【００６３】
−この株式は午前に上がって午後に下がる（前強後弱）
−この株式は底力が強い（前弱後強）
−この株式は始値が一日中で一番高い時が多い
−この株式は始値は良くなく、終値は好きだ
−この株式は一日変動幅が大きい
−この株式は夏／冬にたくさん上がる
−この株式はストップ高をよくつく  
この株式はストップ高はよくつくが、ストップ高がよく崩れる
−この株式は、総合株価指数が上がれば、いつも一緒に上がる（総合株価指数と相関関係）
−この株式は、総合株価指数が上がれば、下がる（総合株価指数と逆相関の関係）
−この株式は、００株式と一緒に動く（個別種目と相関関係）
−この種目が始値が”＋”だったら、この種目の終値が”  ＋”である確率は？
−この種目が始値が”＋”だったし、総合株価指数始値が”＋”だったら、この種目の終値が”＋”である確率は？
−この種目が始値が”＋”だったし、総合株価指数始値が”＋”だったし、総合株価指数終値が“−”だったら、この種目の終値が  “＋”である確率は？
−この種目の終値が始値より高い確率は？
−この種目が始値が“＋”だったし、場中“−”に行ったら、この種目の終値が“＋”である確率は？
−この種目が始値が“−”だったし、場中“＋”に行ったら、この種目の終値が“−”である確率は？
−この種目が場中にストップ高に行ったら、終値がストップ高で終わる確率は？
−この種目の場中高値がストップ高だったら、終値がストップ高で終わる確率は？
−この種目の始値がストップ高だったら、終値がストップ高で終わる確率は？
−この種目が最近  ３日下落したら、翌日“＋”で始める確率は？
前記のような概念は、既存には漠然と思ってきたが、本発明によれば、これを対応用語を通じて定義することができるし、ここに一番相応しい対応用語は野球用語である。野球用語を通じて定義された前記のような特徴たちは、新しい種目の相場パターンに対する分類と仕分けの眼目を形成させる画期的な役目をするようになって、より卓越な種目分析が可能となる。
【００６４】
このような種目分析は、野球用語を通じて投資者に易しく理解及び抽出することができるようにするし、株式情報を野球用語に対応させるためのシステムの構成は次のようである。
【００６５】
図２は本発明によるシステムの構成をブロックで現わす図面であり、図３は本発明による特性分析及び提供方法を現わす流れ図である。図２及び図３を参照すれば、特性分析システムは、通常の個人用コンピューター、  スマートフォン、サーバーシステム、無線端末機、ＰＤＡ、及びタブレットＰＣなどを含む概念であり、これら装置が単独的に特性分析システムの役目をするか、または相互繋がれて特性分析システムの役目をすることもできる。すなわち、一つのコンピューター端末機内に、情報受信部１０、情報抽出部２０、分類対応部３０、出力部４０、用語定義部５０及び表示端末機６０が具備されて、コンピューター端末機に各種ＲＡＷ  ＤＡＴＡが受信されば、これを内部的に抽出及び算出して結果値を出力及び表示することもできるし、または証券会社やサービス提供社サーバーに情報受信部１０、情報抽出部２０、分類対応部３０、出力部４０及び用語定義部５０が具備され、その結果値だけがサーバーから出力されて通信網で繋がれた他の表示端末機６０に表示されるようにして、結果値の算出まではサーバーで担当し、結果値表示だけ使用者端末機で担当するようになることもできる。どの一部構成たちのモジュール化は、技術的選択と発達によって多様に制限なしに適用が可能である。
【００６６】
前記情報受信部１０は、取引情報を受信する役目をし、このような取引情報は通常韓国証券電算院１（図１）から受信するようになる（Ｓ１）。前記情報受信部１０は、通常のＨＴＳから受信する各種関連株式情報たちを受信するようになり、これは選択された種目の取引日付による始値、高値、低値、終値、上昇率、下落率などの相場情報を含む。また、受信される情報は、個別企業種目であることもできるし、韓国総合株価指数（ＫＯＳＰＩ）、  コスダック（ＫＯＳＤＡＱ）、先物などの指数種目であるかも知れない。
【００６７】
前記情報抽出部２０は、情報受信部１０を通じて受信された多様な情報の中で、必要な取引情報を抽出するか、またはＲＡＷ  ＤＡＴＡを演算、導出して必要な取引情報を生成して出力する役目をする（Ｓ２）。例えば、情報抽出部２０は、  数多い株式情報の中、どんな種目の特定取引日の始値、高値、低値、終値を選択、抽出するか、または、抽出された値打ちから上昇率を演算して導出する。情報受信部１０から受信された多様な時間帯の多様な相場、売買データと係わって、情報抽出部２０から選択的に抽出するか、または全部を抽出し、または編集及び演算して分類対応部３０に提供するようになる。
【００６８】
前記分類対応部３０は、情報抽出部２０から伝達した各種データたちを各種条件及び数式によって分類するか、または演算する機能を遂行する（Ｓ３）。この時、分類及び演算のための条件式及び算式は別途の用語定義部（ＤＢ）で保存及び定義されたことをロードして、処理するようになる。
【００６９】
前記用語定義部５０は、分類対応部３０で要する条件及び数式などの分類情報と、該当の分類情報に対応される対応用語とを保存し、これらを提供して、分類対応部３０で該当の種目の相場がどんな条件に当たってどんな定義された用語に対応されるか、または反対に用語定義部５０に定義された用語にあたる条件に、該当の種目が属するのかなどを遂行するようにする。
【００７０】
前記用語定義部５０で保存した分類情報は該当の分類情報に対応する対応用語がマッチされているし、分類対応部３０で分類情報に該当の可否を分類及び演算した後、これをロードされた対応用語に対応させて出力及び表現するようにする。
【００７１】
前記分類対応部３０は、用語定義部５０から分類情報と対応用語をロードし、情報抽出部２０から受けた条件を分類情報によって分類及び演算した後、これを対応用語にマッチさせる。この時、対応用語は多様に設定することができるが、本発明の主要実施例は、野球用語を借用する。野球の勝敗及び統計表示は、株式の上昇、下落及びその統計と等しい脈絡であるので、相応しいからである（Ｓ４）。用語定義部５０は野球用語と、ここに対応される分類情報とを保存するようになり、このような用語とこれに対する分類情報は、管理者の設定によって変更されることもできるし、  追加されることもできる。
【００７２】
このようにマッチされた結果値は、出力部４０から外部へ送信され、これは投資者の個人端末機やディスプレー装置などの表示装置６０を通じて最終伝達する。すなわち、後述するように、株式相場の特定パターンを野球での特定状況を意味する用語に対応させて、その結果値とともに出力するようになる（Ｓ５）。
【００７３】
以下では、このような用語定義部５０で定義された分類情報と、ここに対応される対応用語、すなわち野球用語を一つずつ説明する事にし、このような定義、対応内容及びパターンはそのものとして独特な特徴を持つ。
【００７４】
図４ないし図１５は本発明の用語定義部に保存された分類情報、対応野球用語及びその計算数式たちの実施例を現わす表である。図４を参照すれば、対応用語である野球用語  ’安打’は、分類情報が特定取引日に終値が横這い超過上昇した場合を意味することと定義し、取引情報がここにあたる場合、これを  ’安打’という結果値に導出するようになる。
【００７５】
表では終値騰落率を例としてあげるが、場合によっては終値代りに、始値、低値、高価などで変形することもできる。同時に上昇の基準が前日の終値であることもできるし、当日始値であるかも知れないでしょう。これは以下でも等しい。
【００７６】
例えば、Ａ種目が３％上昇して終了した場合には、取引情報は３％上昇であり、これは分類情報の中‘特定取引日、終値騰落率が横這い超過上昇’に当たるので、これを  ’安打’に対応させて表現するようになる。  
また、１、２及び３塁打は表のように、それぞれ５、１０及び１５％未満のストップ高直前の呼び値まで範囲の上昇を意味する。ホームランはストップ高すなわち、当日価格制限幅まで上昇したことに対応させる。
【００７７】
図５を参照すれば、対応用語である野球用語  ’打率’は、安打日数を取引日数で分けた値打ちであり、これは始値、高値、低値騰落率を基準にすることもできる。
【００７８】
図６を参照すれば、対応用語である野球用語  ’得点’と’平均得点’は上昇終了時の終値上昇率と、その合計を上昇取引日数で分けたことを意味する。この時、取引日数は、野球用語  ’競技数’に対応される。
【００７９】
図７を参照すれば、対応用語である野球用語  ’バント’というのは、始値が横這い未満から出発したが、終値が横這い超過から上昇終了した場合を意味し、’バント失敗’は、  逆に始値は、横這い超過上昇状態から出発したが、終値は横這い未満に下落したことを意味する。
【００８０】
図８を参照すれば、対応用語である野球用語  ’盗塁’は、一つの領域から他の領域に上昇したことを意味し、’２塁盗塁’は、始値が５％未満上昇で始めて、５〜１０％の上昇範囲で上昇終了した場合を、’３塁盗塁’は始値が  ５〜１０％  上昇で始めて、１０〜１５％未満のストップ高直前の呼び値までの上昇範囲で上昇終了した場合を、’ホームスチール’は、始値が１０〜１５％未満のストップ高直前の呼び値までの上昇で始めて、ストップ高で終値が終了した場合を意味する。
【００８１】
図９を参照すれば、対応用語である野球用語  ’長打率’は、前記  １、２、３塁打及びホームランに加重値、即ち、１、２、３及び４で計算して合わせた数を取引日数で分けた値打ちを意味する。’出塁率’は、一定の取引日の間、高価騰落率が横這い以上上昇した日を取引日数で分けた値打ちであり、’得点圏打率’は高価騰落率が  ２または３塁打である状況で終値がストップ高で終了した場合の日を得点圏状況日数で分けた値打ちを意味する。また、’連打席安打’及び’連打席ホームラン’は一番近日から反対に累積する連続安打日数及び連続ホームラン日数を意味する。
【００８２】
図１０及び図１１を参照すれば、対応用語である野球用語  ’アウト’は、前記安打や塁打と反対に、一定の範囲で下落したことを意味する。’１アウト’は、−５％の範囲まで、’２アウト’は−１０％の範囲まで、’３アウト’はストップ安直前の呼び値まで下落終了した場合を意味する。
【００８３】
’三振’は高価が横這い以下であり、終値が  −５％の範囲内に下落した場合を、’併殺’は高価が横這い超過ストップ高直前の呼び値以下で上昇したが、終値が  −５〜−１０％  範囲まで下落した場合を、’三重殺’は高価が横這い超過ストップ高直前の呼び値以下で上昇したが、終値がストップ安直前の呼び値以上〜−１０％の範囲まで下落終了した場合を意味する。
【００８４】
図１２を参照すれば、対応用語である野球用語  ’勝’、’敗  ’、及び‘引き分け’は、それぞれ、終値が横這い超過上昇した場合、横這い未満下落終了した場合、横這い終了した場合を意味する。
【００８５】
図１３を参照すれば、対応用語である野球用語  ’完封勝ち’及び’  完封負け  ’はそれぞれ、始値、低値、高価及び終値がストップ高及びストップ安の場合を意味する。
【００８６】
図１４を参照すれば、対応用語である野球用語  ’防御率’は、一定の取引日の間、終値騰落率が横這い未満下落終了した場合の終値下落率合計を下落取引日数で分けた値打ちである。’失点’は、特定取引日に終値騰落率が横這い未満下落終了した場合の終値下落率であり、’セーブ’は特定取引日の始値騰落率が横這い超過上昇して、終値騰落率が始値騰落率以上に上昇終了した場合であり、’ブロウンセーブ’は終値騰落率が始値騰落率未満に終了した場合を意味する。’連続セーブ’は、一定の取引日の間、一番近日から反対に累積する連続セーブ数を意味する。
【００８７】
図１５を参照すれば、対応用語である野球用語  ’勝率’は、終値騰落率が横這いの場合を除いた一定の取引日の間、終値騰落率が横這い超過上昇終了した割合であり、’遠征勝率’は、総合株価指数が下落したが、該当の種目の終値が横這い超過上昇終了した場合の割合を意味する。’被本塁打’は特定取引日に終値騰落率がストップ安終了した場合を意味する。
【００８８】
一方、野球用語には、攻撃用用語、バッター用用語、守備用用語、投手用用語などがあるところ、これを分類して、総合株価指数と連係させて相応しい時に使うことができる。すなわち、総合株価指数が上がった日には、攻撃用用語やバッター用用語を使用し、総合株価指数が下がった日には守備用用語や投手用用語を使うことができる。
【００８９】
図１６及び図１７は本発明によって分析された種目の結果物を野球グラウンド及び対応野球用語で表した図面であり、図１８は本発明によって分析された各項目別一等及び三百等の種目を現わす表である。図１６及び図１７を参照すれば、最終的に出力部４０から出力された結果値は、使用者の選択によって表示装置６０に図面のように現われる。図面によれば、ＳＫ証券種目の安打数、１塁打の割合、２塁打の割合、３塁打の割合、ホームランの割合、ホームラン数、長打率、盗塁、併殺などの内容で表現される。また、図１７のように、バッター特性値に対する数値と、投手特性値に対する数値を表示することができるので、これを見る投資者にとって、野球用語で浮び上がるイメージとともに、該当の数値に対する理解度が数等向上することができるようになる。
【００９０】
また、図１８のように、一定の期間の各野球用語による順位を通じて、どんな種目がどんな特徴を持つのかを投資者にとってとても易しく理解することができるようになる。図１８は韓国総合株価指数（ＫＯＳＰＩ）の２００種目とコスタックの１００種目の総３００種目に対して特正日から６ヶ月間の実際技術的分析内容を、本発明の野球用語を通じて表したこととして、各項目の一等及び三百等を表現して表した。これを通じて、投資者は一見して、該当の種目の特性と内容を易しく理解することができるようになる。
【００９１】
同時に、既存には特別に特定することができない種目分析、例えば、歴代または期間別最多ホームラン種目、最多得点種目、最多打点種目、最多安打種目、最多盗塁種目、最多連続バント種目、最高長打率種目、最高出塁率種目、最短ホームラン週期種目、及び最短被本塁打週期種目などの項目として、種目を特定及び分類して、投資者に提供することができるので、投資者の理解度の向上はもちろん、特性に対する新しい定義と概念が形成される効果がある。このような種目を単純に既存の株式用語だけでは特に説明または特定する方法はないが、本発明によれば、このような説明及び特定が可能となる。また、打率などをグラフで現わすか、またはゲーム化して表現することもできるし、全体種目の中で種目間の絶対的及び相対的な比較をして市場の主導株を掘り出すようにする効果があり、業種種目間はもちろんテーマ株領域にも絶対的及び相対的比較をして種目間及びテーマ株内でも主導株を捜すことができるようにする。同時に、上昇場、下落場、横這い場などの相場別に差別化された統計を通じて売買種目を選定するように手伝ってくれる役目をするようになる。また、各種野球指標を通じて、類似した類型や類似した成績の種目を掘り出すことができるようになり、種目選別の幅を拡大するようにする役目をする。
【００９２】
前記説明中、それぞれの構成である情報受信部、情報抽出部、分類対応部、出力部、用語定義部とその下位構成たちは、ハードウェア的にそれぞれ分離した構成であることもできるし、ソフトウェア的に機能的仕分け上の構成であることもできるし、一連の情報体系を各機能別に説明可能となるように類型化させた構成であるかも知れないでしょう。
【００９３】
このようなシステムとその提供方法によって、正確な種目分析が可能となり、計算及び認識の便利性による指標としての活用性が増加するようになる。また、指標が歪曲されることを防止し、  いっぺんにすべての内容を易しく理解及び把握することができるようになって、投資意思決定の道具として活用が  増大される。
【００９４】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【符号の説明】
【００９５】
１０  情報受信部  
２０  情報抽出部
３０  分類対応部  
４０  出力部
５０  用語定義部  
６０  表示端末機
【図１】
2014515505.tif 000003
【図２】
2014515505.tif 000004
【図３】
2014515505.tif 000005
【図４】
2014515505.tif 000006
【図５】
2014515505.tif 000007
【図６】
2014515505.tif 000008
【図７】
2014515505.tif 000009
【図８】
2014515505.tif 000010
【図９】
2014515505.tif 000011
【図１０】
2014515505.tif 000012
【図１１】
2014515505.tif 000013
【図１２】
2014515505.tif 000014
【図１３】
2014515505.tif 000015
【図１４】
2014515505.tif 000016
【図１５】
2014515505.tif 000017
【図１６】
2014515505.tif 000018
【図１７】
2014515505.tif 000019
【図１８】
2014515505.tif 000020
【国際調査報告】
2014515505.tif 000021
2014515505.tif 000022
2014515505.tif 000023
2014515505.tif 000024